(57)【特許請求の範囲】
【請求項１】
通信可能な音楽データサーバから、曲名及び当該曲名に対応する音楽ファイルの格納場所が関連付けられた曲名リスト情報を情報処理装置にダウンロードするリストダウンロードステップと、
ダウンロードされた上記曲名リスト情報を上記情報処理装置における記憶部に記憶するリスト記憶ステップと、
上記記憶部に記憶された上記曲名リスト情報に基づいて、上記曲名を表示部に一覧表示する曲名表示ステップと、
上記表示部に一覧表示された上記曲名のうち、所定の操作部によりユーザから指定された曲名に対応する音楽ファイルを上記音楽データサーバから上記情報処理装置にダウンロードするファイルダウンロードステップと、
上記ダウンロードされた上記音楽ファイルを上記記憶部に記憶するファイル記憶ステップと、
上記記憶部に記憶されている上記曲名リスト情報における上記音楽ファイルの上記格納情報を、上記音楽データサーバを表す情報から上記情報処理装置を表す情報に書き換える格納場所情報書換ステップと、
上記情報処理装置と通信可能な携帯端末から送信される上記曲名リスト情報の要求又は上記音楽ファイルの要求を受信する受信ステップと、
上記受信ステップにおいて上記曲名リスト情報の要求を受信した場合には、当該曲名リスト情報の要求に応じて、上記記憶部に記憶されている上記曲名リスト情報を上記携帯端末に対して送信する一方、上記音楽ファイルの要求を受信した場合には、当該音楽ファイルの要求に応じて、上記記憶部に記憶されている上記音楽ファイルを上記携帯端末に対して送信する送信ステップと
を有する情報処理装置のデータ処理方法。
【請求項２】
通信可能な音楽データサーバから、曲名及び当該曲名に対応する音楽ファイルの格納場所が関連付けられた曲名リスト情報をダウンロードし記憶部に記憶させる通信部と、
上記記憶部に記憶された上記曲名リスト情報に基づいて、上記曲名を表示部に一覧表示する表示制御部と、
上記表示部に一覧表示された上記曲名のうち、操作部によりユーザから指定された曲名に対応し上記通信部を介して上記音楽データサーバからダウンロードされた上記音楽ファイルを記憶する際、上記曲名リスト情報における上記音楽ファイルの上記格納情報を、上記音楽データサーバを表す情報から情報処理装置を表す情報に書き換える記憶部と、
通信可能な携帯端末から送信される上記曲名リスト情報の要求又は上記音楽ファイルの要求を受信する受信部と、
上記受信部により上記曲名リスト情報の要求を受信した場合には、当該曲名リスト情報の要求に応じて、上記記憶部に記憶されている上記曲名リスト情報を上記携帯端末に対して送信する一方、上記音楽ファイルの要求を受信した場合には、当該音楽ファイルの要求に応じて、上記記憶部に記憶されている上記音楽ファイルを上記携帯端末に対して送信する送信部と
を有する情報処理装置。
【請求項３】
通信可能なデータサーバから、データ名称及び当該データ名称に対応するデータファイルの格納場所が関連付けられたデータリスト情報を情報処理装置にダウンロードするリストダウンロードステップと、
ダウンロードされた上記データリスト情報を上記情報処理装置における記憶部に記憶するリスト記憶ステップと、
上記記憶部に記憶された上記データリスト情報に基づいて、上記データ名称を表示部に一覧表示するデータ名称表示ステップと、
上記表示部に一覧表示された上記データ名称のうち、所定の操作部によりユーザから指定されたデータ名称に対応するデータファイルを上記データサーバから上記情報処理装置にダウンロードするファイルダウンロードステップと、
上記ダウンロードされた上記データファイルを上記記憶部に記憶するファイル記憶ステップと、
上記記憶部に記憶されている上記データリスト情報における上記データファイルの上記格納情報を、上記データサーバを表す情報から上記情報処理装置を表す情報に書き換える格納場所情報書換ステップと、
上記情報処理装置と通信可能な携帯端末から送信される上記データリスト情報の要求又は上記データファイルの要求を受信する受信ステップと、
上記受信ステップにおいて上記データリスト情報の要求を受信した場合には、当該データリスト情報の要求に応じて、上記記憶部に記憶されている上記データリスト情報を上記携帯端末に対して送信する一方、上記データファイルの要求を受信した場合には、当該データファイルの要求に応じて、上記記憶部に記憶されている上記データファイルを上記携帯端末に対して送信する送信ステップと
を有する情報処理装置のデータ処理方法。
【請求項４】
上記データファイルは、
動画像データのファイルでなる
請求項３に記載のデータ処理方法。
【請求項５】
上記データファイルは、
静止画データのファイルでなる
請求項３に記載のデータ処理方法。
【請求項６】
上記データファイルは、
プログラムのファイルでなる
請求項３に記載のデータ処理方法。
【請求項７】
通信可能なデータサーバから、データ名称及び当該データ名称に対応するデータファイルの格納場所が関連付けられたデータリスト情報をダウンロードし記憶部に記憶させる通信部と、
上記記憶部に記憶された上記データリスト情報に基づいて、上記データ名称を表示部に一覧表示する表示制御部と、
上記表示部に一覧表示された上記データ名称のうち、操作部によりユーザから指定された上記データ名称に対応し上記通信部を介して上記データサーバからダウンロードされた上記データファイルを記憶する際、上記データリスト情報における上記データファイルの上記格納情報を、上記データサーバを表す情報から情報処理装置を表す情報に書き換える記憶部と、
通信可能な携帯端末から送信される上記データリスト情報の要求又は上記データファイルの要求を受信する受信部と、
上記受信部により上記データリスト情報の要求を受信した場合には、当該データリスト情報の要求に応じて、上記記憶部に記憶されている上記データリスト情報を上記携帯端末に対して送信する一方、上記データファイルの要求を受信した場合には、当該データファイルの要求に応じて、上記記憶部に記憶されている上記データファイルを上記携帯端末に対して送信する送信部と
を有する情報処理装置。
【請求項８】
通信可能な情報処理装置から、曲名及び当該曲名に対応する音楽ファイルの格納場所が関連付けられた曲名リスト情報を携帯端末にダウンロードするリストダウンロードステップと、
ダウンロードされた上記曲名リスト情報を上記携帯端末における記憶部に記憶するリスト記憶ステップと、
上記記憶部に記憶された上記曲名リスト情報に基づいて、上記曲名を表示部に一覧表示する曲名表示ステップと、
一覧表示された上記曲名のうち、ユーザによって選択された曲名に対応する音楽ファイルを選択する選択ステップと、
選択された上記音楽ファイルに対応付けられた格納場所情報に基づいて、当該選択された音楽ファイルが上記情報処理装置又は通信可能な音楽データサーバのいずれに格納されているかを判別する判別ステップと、
上記音楽ファイルが上記情報処理装置に格納されていると判別された場合には、上記選択された音楽ファイルを上記情報処理装置からダウンロードする一方、上記音楽ファイルが上記音楽データサーバに格納されていると判別された場合には、上記選択された音楽ファイルを上記音楽データサーバからダウンロードするファイルダウンロードステップと
を有する携帯端末のデータ処理方法。
【請求項９】
上記ファイルダウンロードステップでは、
上記音楽ファイルが上記情報処理装置に格納されていると判別された場合には、第１の無線通信部を介して上記選択された音楽ファイルを上記情報処理装置からダウンロードする一方、上記音楽ファイルが上記音楽データサーバに格納されていると判別された場合には、第２の無線通信部を介して上記選択された音楽ファイルを上記音楽データサーバからダウンロードする
請求項８に記載のデータ処理方法。
【請求項１０】
通信可能な情報処理装置から、曲名及び当該曲名に対応する音楽ファイルの格納場所が関連付けられた曲名リスト情報をダウンロードする通信部と、
ダウンロードされた上記曲名リスト情報を記憶する記憶部と、
上記記憶部に記憶された上記曲名リスト情報に基づいて、上記曲名を表示部に一覧表示する表示部と、
一覧表示された上記曲名のうち、ユーザによって選択された曲名に対応する音楽ファイルを選択する選択部と、
選択された上記音楽ファイルに対応付けられた格納場所情報に基づいて、当該選択された音楽ファイルが上記情報処理装置又は通信可能な音楽データサーバのいずれに格納されているかを判別する判別部と、
上記音楽ファイルが上記情報処理装置に格納されていると判別された場合には、上記選択された音楽ファイルを上記情報処理装置からダウンロードする一方、上記音楽ファイルが上記音楽データサーバに格納されていると判別された場合には、上記選択された音楽ファイルを上記音楽データサーバからダウンロードするよう上記通信部を制御する通信制御部
を有する携帯端末。
【請求項１１】
通信可能な情報処理装置から、データ名称及び当該データ名称に対応するデータファイルの格納場所が関連付けられたデータリスト情報を携帯端末にダウンロードするリストダウンロードステップと、
ダウンロードされた上記データリスト情報を上記携帯端末における記憶部に記憶するリスト記憶ステップと、
上記記憶部に記憶された上記データリスト情報に基づいて、上記データ名称を表示部に一覧表示するデータ名称表示ステップと、
一覧表示された上記データ名称のうち、ユーザによって選択されたデータ名称に対応するデータファイルを選択する選択ステップと、
選択された上記データファイルに対応付けられた格納場所情報に基づいて、当該選択されたデータファイルが上記情報処理装置又は通信可能なデータサーバのいずれに格納されているかを判別する判別ステップと、
上記データファイルが上記情報処理装置に格納されていると判別された場合には、上記選択されたデータファイルを上記情報処理装置からダウンロードする一方、上記データファイルが上記データサーバに格納されていると判別された場合には、上記選択されたデータファイルを上記データサーバからダウンロードするファイルダウンロードステップと
を有する携帯端末のデータ処理方法。
【請求項１２】
上記データファイルは、
動画像データのファイルでなる
請求項１１に記載のデータ処理方法。
【請求項１３】
上記データファイルは、
静止画データのファイルでなる
請求項１１に記載のデータ処理方法。
【請求項１４】
上記データファイルは、
プログラムのファイルでなる
請求項１１に記載のデータ処理方法。
【請求項１５】
通信可能な情報処理装置から、データ名称及び当該データ名称に対応するデータファイルの格納場所が関連付けられたデータリスト情報をダウンロードする通信部と、
ダウンロードされた上記データリスト情報を記憶する記憶部と、
上記記憶部に記憶された上記データリスト情報に基づいて、上記データ名称を一覧表示する表示部と、
一覧表示された上記データ名称のうち、ユーザによって選択されたデータ名称に対応するデータファイルを選択する選択部と、
選択された上記データファイルに対応付けられた格納場所情報に基づいて、当該選択されたデータファイルが上記情報処理装置又は通信可能なデータデータサーバのいずれに格納されているかを判別する判別部と、
上記データファイルが上記情報処理装置に格納されていると判別された場合には、上記選択されたデータファイルを上記情報処理装置からダウンロードする一方、上記データファイルが上記データサーバに格納されていると判別された場合には、上記選択された音楽ファイルを上記データサーバからダウンロードするよう、上記通信部を制御する通信制御部と
を有する携帯端末。
【発明の詳細な説明】
【技術分野】
【０００１】
本発明は情報処理装置のデータ処理方法、情報処理装置、携帯端末のデータ処理方法及び携帯端末に関し、例えば圧縮符号化された音楽データを受信して再生する音楽データ再生装置に適用して好適なものである。
【背景技術】
【０００２】
近年、音声信号を高能率符号化してそのデータ量を圧縮するＭＰ３（MPEG1 Audio Layer3）等の音声圧縮符号化方法が広く用いられている。例えばパーソナルコンピュータにおいては、この音声圧縮符号化方法を用いることにより、ハードディスクにＣＤ十数枚分もの楽曲のデータを格納することができる。
【０００３】
また近年、音声圧縮符号化方法を用いて圧縮した音楽データを半導体フラッシュメモリ等の記憶手段に格納し、当該記憶手段から再生する携帯型ディジタルオーディオ装置がある。かかる携帯型ディジタルオーディオ装置においては機械的可動部分が不要なため、例えばＣＤ（Compact Disk）プレーヤのような従来の携帯型オーディオ装置に比べてその構成を小型化し得るとともに、振動等による外乱の影響を受け難いという利点がある。
【発明の開示】
【発明が解決しようとする課題】
【０００４】
ところが、かかる構成の携帯型ディジタルオーディオ装置においては、記憶手段の記憶容量に限りがあるため大量の音楽データを格納し得ず、これにより限られた曲数の楽曲しか再生し得ないという問題があった。
【０００５】
本発明は以上の点を考慮してなされたもので、記憶手段の記憶容量に係わらず多くの曲数の音楽データを再生し得る情報処理装置のデータ処理方法、情報処理装置、携帯端末のデータ処理方法及び携帯端末を提案しようとするものである。
【課題を解決するための手段】
【０００６】
かかる課題を解決するため本発明の情報処理装置のデータ処理方法及び情報処理装置においては、通信可能な音楽データサーバから、曲名及び当該曲名に対応する音楽ファイルの格納場所が関連付けられた曲名リスト情報を情報処理装置にダウンロードし、ダウンロードされた曲名リスト情報を情報処理装置における記憶部に記憶し、記憶部に記憶された曲名リスト情報に基づいて、曲名を表示部に一覧表示し、表示部に一覧表示された曲名のうち、所定の操作部によりユーザから指定された曲名に対応する音楽ファイルを音楽データサーバから情報処理装置にダウンロードし、ダウンロードされた音楽ファイルを記憶部に記憶し、記憶部に記憶されている曲名リスト情報における音楽ファイルの格納情報を、音楽データサーバを表す情報から情報処理装置を表す情報に書き換え、情報処理装置と通信可能な携帯端末から送信される曲名リスト情報の要求又は音楽ファイルの要求を受信し、曲名リスト情報の要求を受信した場合には、当該曲名リスト情報の要求に応じて、記憶部に記憶されている曲名リスト情報を携帯端末に対して送信する一方、音楽ファイルの要求を受信した場合には、当該音楽ファイルの要求に応じて、記憶部に記憶されている音楽ファイルを携帯端末に対して送信するようにした。
【０００７】
これにより本発明では、記憶手段の記憶容量に係わらず、一覧表示された曲名に基づいて多くのデータを選択することができる。
【０００８】
また本発明の情報処理装置のデータ処理方法及び情報処理装置においては、通信可能なデータサーバから、データ名称及び当該データ名称に対応するデータファイルの格納場所が関連付けられたデータリスト情報を情報処理装置にダウンロードし、ダウンロードされたデータリスト情報を情報処理装置における記憶部に記憶し、記憶部に記憶されたデータリスト情報に基づいて、データ名称を表示部に一覧表示し、表示部に一覧表示されたデータ名称のうち、所定の操作部によりユーザから指定されたデータ名称に対応するデータファイルをデータサーバから情報処理装置にダウンロードし、ダウンロードされたデータファイルを記憶部に記憶し、記憶部に記憶されているデータリスト情報におけるデータファイルの格納情報を、データサーバを表す情報から情報処理装置を表す情報に書き換え、情報処理装置と通信可能な携帯端末から送信されるデータリスト情報の要求又はデータファイルの要求を受信し、データリスト情報の要求を受信した場合には、当該データリスト情報の要求に応じて、記憶部に記憶されているデータリスト情報を携帯端末に対して送信する一方、データファイルの要求を受信した場合には、当該データファイルの要求に応じて、記憶部に記憶されているデータファイルを携帯端末に対して送信するようにした。
【０００９】
これにより本発明では、記憶手段の記憶容量に係わらず、一覧表示されたデータ名称に基づいて多くのデータを選択することができる。
【００１０】
さらに本発明の携帯端末のデータ処理方法及び携帯端末においては、通信可能な情報処理装置から、曲名及び当該曲名に対応する音楽ファイルの格納場所が関連付けられた曲名リスト情報を携帯端末にダウンロードし、ダウンロードされた曲名リスト情報を携帯端末における記憶部に記憶し、記憶部に記憶された曲名リスト情報に基づいて、曲名を表示部に一覧表示し、一覧表示された曲名のうち、ユーザによって選択された曲名に対応する音楽ファイルを選択し、選択された音楽ファイルに対応付けられた格納場所情報に基づいて、当該選択された音楽ファイルが情報処理装置又は音楽データサーバのいずれに格納されているかを判別し、音楽ファイルが情報処理装置に格納されていると判別された場合には、選択された音楽ファイルを情報処理装置からダウンロードする一方、音楽ファイルが通信可能な音楽データサーバに格納されていると判別された場合には、選択された音楽ファイルを音楽データサーバからダウンロードするようにした。
【００１１】
これにより本発明では、記憶手段の記憶容量に係わらず、一覧表示された曲名に基づいて多くのデータを選択することができる。
【００１２】
また本発明の携帯端末のデータ処理方法及び携帯端末においては、通信可能な情報処理装置から、データ名称及び当該データ名称に対応するデータファイルの格納場所が関連付けられたデータリスト情報を携帯端末にダウンロードし、ダウンロードされたデータリスト情報を携帯端末における記憶部に記憶し、記憶部に記憶されたデータリスト情報に基づいて、データ名称を表示部に一覧表示し、一覧表示されたデータ名称のうち、ユーザによって選択されたデータ名称に対応するデータファイルを選択し、選択されたデータファイルに対応付けられた格納場所情報に基づいて、当該選択されたデータファイルが情報処理装置又は通信可能なデータサーバのいずれに格納されているかを判別し、データファイルが情報処理装置に格納されていると判別された場合には、選択されたデータファイルを情報処理装置からダウンロードする一方、データファイルがデータサーバに格納されていると判別された場合には、選択されたデータファイルをデータサーバからダウンロードするようにした。
【００１３】
これにより本発明では、記憶手段の記憶容量に係わらず、一覧表示されたデータ名称に基づいて多くのデータを選択することができる。
【発明の効果】
【００１４】
本発明によれば、一覧表示された曲名に基づいて多くのデータを選択することができ、かくして多くの音楽データを再生することができるデータ処理方法、情報処理装置及び携帯端末を実現できる。
【００１５】
また本発明では、一覧表示されたデータ名称に基づいて多くのデータを選択することができ、かくして多くのデータを処理することができるデータ処理方法、情報処理装置及び携帯端末を実現できる。
【発明を実施するための最良の形態】
【００１６】
以下図面について、本発明の一実施の形態を詳述する。
【００１７】
（１）情報処理システムの全体構成
図１において、１は全体として本発明を適用した情報処理システムを示し、ノートブック型パーソナルコンピュータ（以下、これをノートパソコンと呼ぶ）２、ディジタル携帯電話機３、及びインターネット５に接続された音楽ファイルサーバ６で構成される。
【００１８】
データ処理装置としてのディジタル携帯電話機３は無線を介して基地局４と接続し、当該基地局４を介して、公衆回線（図示せず）に接続された携帯電話機や有線電話機、或いはインターネット５に接続された各種サーバ、パーソナルコンピュータ及びＰＤＡ（Personal Digital Assistants ）等の各種通信端末等との間で、音声通信やデータ通信等の各種通信を行い得るようになされている。
【００１９】
ノートパソコン２とディジタル携帯電話機３との間は、無線通信規格であるBluetooth （ブルートゥース：商標）に準拠した無線通信によって相互に通信し得るようになされ、これによりノートパソコン２は、公衆回線に接続された他の各種通信端末等との間で、ディジタル携帯電話機３を介して無線による各種通信を行い得るようになされている。
【００２０】
ここでBluetooth は標準化団体であるBluetooth SIG (Special Interest Group)によって標準化された近距離無線データ通信規格であり、2.4[GHz]帯のＩＳＭ（Industrial Scientific Medical ）帯に帯域幅 1[MHz] のチャネルを７９個設定し、１秒間に１６００回チャネルを切り換える周波数ホッピング方式のスペクトラム拡散通信方式を用い、データ伝送速度１[Mbit/秒] （実効 721[kbit/秒]）で約１０[m] のデータ伝送を行う。
【００２１】
データ格納装置としてのノートパソコン２及び音楽ファイルサーバ６は、それぞれＭＰ３（MPEG1 Audio Layer3）やＡＴＲＡＣ（Adaptive TRansform Acoustic Coding：商標）等の音声圧縮符号化方法を用いて圧縮された音楽データファイル（以下、これを音楽ファイルと呼ぶ）を複数格納している。またノートパソコン２は、当該ノートパソコン２及び音楽ファイルサーバ６に格納された音楽ファイルの曲名等を示す曲名リストファイルを格納している。
【００２２】
ディジタル携帯電話機３は、ユーザの操作に応じてノートパソコン２から曲名リストファイルをダウンロードし、当該曲名リストファイルに従って曲名リストを表示部２１に表示する。そしてディジタル携帯電話機３は、表示された曲名リストの中からユーザによって選択された音楽ファイルをノートパソコン２又は音楽ファイルサーバ６からダウンロードして再生した後に、ヘッドホン７を介して出力するようになされている。
【００２３】
（２）ノートパソコンの構成
図２に示すように、ノートパソコン２においてはデータバスＢＵＳにＣＰＵ１０、ＲＡＭ（Randam Access Memory）１１、液晶ディスプレイでなる表示部１２、キーボード１３、ハードディスクドライブ（ＨＤＤ）１４、電源制御部１５、Bluetooth 規格に準拠した近距離無線インターフェース１６及びタッチパッド１７が接続された構成を有する。
【００２４】
ＨＤＤ１４には、Ｗｉｎｄｏｗｓ（登録商標）９８（ Microsoft社、商標）等のオペレーティングシステムプログラムや、後述する音楽ライブラリ管理プログラム等のアプリケーションプログラムが格納されている。
【００２５】
ＣＰＵ１０は、ＨＤＤ１４に格納されたプログラムを適宜読み出し、これをＲＡＭ１１に展開して実行することにより種々の処理を実行するようになされており、当該処理に応じてノートパソコン２の各回路部を制御すると供に、処理結果を表示部１２に表示する。
【００２６】
またＨＤＤ１４には、音楽データサーバ６（図１）からダウンロードした音楽ファイルや、図３に示す曲名リストファイル１００が格納されている。
【００２７】
曲名リストファイル１００においては、曲番号情報１００Ａ、曲名情報１００Ｂ、ジャンル名情報１００Ｃ、アーティスト名情報１００Ｄ、ファイル名情報１００Ｅ、及びファイル格納場所情報１００Ｆで構成されている。
【００２８】
ファイル格納場所情報１００Ｆには、ファイル名情報１００Ｅで示された音楽ファイルの格納場所（ノートパソコン２のＨＤＤ１４又は音楽データサーバ６）が記述されている。例えば、曲番号１の「round.mp3 」という音楽ファイルのファイル格納場所情報１００Ｆは「C:/music/file1」であり、これは当該音楽ファイルがノートパソコン２のＨＤＤ１４（Ｃドライブ）に格納されていることを表している。また、曲番号２の「yesterday.mp3 」という音楽ファイルのファイル格納場所情報１００Ｆは「http://sonymusic.com/song1」であり、これは当該音楽ファイルが音楽データサーバ６に格納されていることを表している。
【００２９】
このようにノートパソコン２は、曲名ファイルリスト１００のファイル格納場所情報１００Ｆによって、指定された音楽ファイルがＨＤＤ１４又は音楽データサーバ６のいずれに格納されているかを認識し得るようになされている。
【００３０】
すなわちノートパソコン２のＣＰＵ１０は音楽ライブラリ管理プログラムに従って動作し、まず音楽データサーバ６から、曲名リストファイル１００をダウンロードし、これをＨＤＤ１４に格納するとともに、当該曲名リストファイルに従って曲名リストを表示部１２に表示する。
【００３１】
そしてＣＰＵ１０は、表示された曲名リストファイル１００の中からユーザによって指定された音楽ファイルを音楽データサーバ６からダウンロードし、これをＨＤＤ１４に格納し、ＨＤＤ１４内の曲名リストファイル１００における、当該ダウンロードした音楽ファイルについてのファイル格納場所情報１００Ｆを、ＨＤＤ１４内の当該音楽ファイルが格納された場所に書き換える。
【００３２】
電源制御部１５（図２）は、ノートパソコン２の各回路部に対する電源供給を制御しており、またノートパソコン２が休止状態にあるときも、近距離無線インターフェース１５に対しては常に電源供給を行うことにより動作状態を保持するようになされている。
【００３３】
近距離無線インターフェース１６は、Bluetooth 規格に準拠した近距離無線通信装置（Bluetooth インターフェース）であり、アンテナ１８を介して、近傍のBluetooth 対応機器であるディジタル携帯電話機３との間で無線データ通信を行う。
【００３４】
ちなみに近距離無線インターフェース１６は、ノートパソコン２が休止状態にあるときも常に動作しており、当該ノートパソコン２の休止状態においてディジタル携帯電話機３からの起動信号を受信すると、これに応じて電源制御部１５に対して起動命令を出力してパーソナルコンピュータ２を構成する各回路部に対する電源供給を開始させることにより、パーソナルコンピュータ２を起動するようになされている。
【００３５】
またＣＰＵ１０は、ディジタル携帯電話機３から近距離無線インターフェース１６を介して音楽ファイル又は曲名リストファイル１００の送信要求を受信すると、これに応じて音楽ファイル又は曲名リストファイル１００をＨＤＤ１４から読み出し、近距離無線インターフェース１６を介してディジタル携帯電話３に送信する。
【００３６】
すなわちＣＰＵ１０は、音楽ライブラリ管理プログラムに従い、図４に示すようにルーチンＲＴ１の開始ステップから入ってステップＳＰ１に移る。ステップＳＰ１においてＣＰＵ１０は、ディジタル携帯電話機３から音楽ファイル又は曲名リストファイルの送信要求を受信すると、次のステップＳＰ２に移る。
【００３７】
ステップＳＰ２においてＣＰＵ１０は、受信した送信要求が音楽ファイルの送信要求であるか否かを判断する。
【００３８】
ステップＳＰ２において肯定結果が得られた場合、このことは受信した送信要求が音楽ファイルの送信要求であることを表しており、ＣＰＵ１０は次のステップＳＰ３に移り、送信要求に応じた音楽ファイルをＨＤＤ１４から読み出してディジタル携帯電話機３に送信し、ステップＳＰ１に戻る。
【００３９】
これに対してステップＳＰ３において否定結果が得られた場合、このことは受信した送信要求が音楽ファイルではなく曲名リストファイルの送信要求であることを表しており、このときＣＰＵ１０は次のステップＳＰ４に移り、曲名リストファイルをＨＤＤ１４から読み出してディジタル携帯電話機３に送信し、ステップＳＰ１に戻る。
【００４０】
（３）ディジタル携帯電話機の構成
次に、ディジタル携帯電話機３の構成を図５を用いて説明する。
【００４１】
図５に示すようにディジタル携帯電話機３においては、当該ディジタル携帯電話機３全体の動作を制御するＣＰＵ２０に対して、液晶ディスプレイでなる表示部２１、複数の操作キー部２２、ジョグダイヤル２３、信号処理部２４、Bluetooth 規格に準拠した近距離無線インターフェース２５、及び音楽データメモリ３２が接続され、さらに信号処理部２４にマイクロホン２６、スピーカ２７、送信部２８及び受信部２９が接続された構成を有する。
【００４２】
ＣＰＵ２０は、図示しないＲＯＭ（Read Only Memoly）から各種プログラムを読み出して実行し、操作キー部２２やジョグダイヤル２３を介して入力される指示情報に応じた各種情報（例えば入力された電話番号やメニュー項目、或いは発信履歴や電話帳等）を、液晶表示パネルでなる表示部２１に表示する。またＣＰＵ２０は、操作キー２２を介して入力される指示情報に応じて信号処理部２４を制御することにより、発呼処理や終話処理等の指示情報に応じた各種処理を実行する。
【００４３】
実際上ディジタル携帯電話機３は、ＩＳ９５規格に対応したＤＳ（Direct Sequence ：直接拡散）方式によるＣＤＭＡ（Code Division Multiple Access ）方式セルラー携帯電話機であり、信号処理部２４は通話時において、マイクロホン２５から入力される音声信号に対してＣＲＣ（Cyclic Redundancy Check ）方式による誤り訂正処理を施した後に畳み込み符号化処理を施し、更にＰＮ（Pseude Noise：疑似雑音）符号を乗算して周波数拡散した後にＱＰＳＫ（Quadrature Phase Shift Keying ）変調して送信シンボルストリームを生成し、これを送信部２８に入力する。送信部２８は送信シンボルストリームに対してディジタル／アナログ変換を施して送信信号を生成し、当該送信信号を周波数変換処理した後に増幅し、これをアンテナ３０を介して送信する。
【００４４】
一方受信部２９は、アンテナ３０を介して受信した受信信号を増幅して周波数変換処理した後、アナログ／ディジタル変換を施すことによって受信シンボルストリームを生成し、これを信号処理部２４に入力する。信号処理部２４は、受信シンボルストリームに対してＱＰＳＫ復調した後にＰＮ符号を乗算して逆拡散し、更に畳み込み符号を用いて最尤系列推定した後にＣＲＣ方式による誤り検出処理を施して音声信号を生成し、これをスピーカ２７を介して出力する。
【００４５】
また信号処理部２４は、ＣＰＵ２０の制御により送信部２８及びアンテナ３０を介して制御信号を基地局４（図１）に送信して発呼処理を行うとともに、着信信号をアンテナ３０及び受信部２９を介して受信し、ＣＰＵ２０に対して着信通知を行う。
【００４６】
ＣＰＵ２０は信号処理部２４を制御し、送信部２８、受信部２９及びアンテナ３０を介して、公衆回線に接続された他の通信端末との間で無線データ通信を行う。
【００４７】
またＣＰＵ２０は近距離無線インターフェース２５を制御し、アンテナ３１を介して、近傍のBluetooth 対応機器であるノートパソコン２（図１）との間で無線データ通信を行う。
【００４８】
さらにＣＰＵ２０は信号処理部２４と近距離無線インターフェース２５との間で通信データの交換を行い、これによりノートパソコン２と公衆回線に接続された他の通信端末との間で、ディジタル携帯電話機３を介して無線によるデータ通信を行い得るようになされている。
【００４９】
またＣＰＵ２０は音楽再生プログラムに従って、ユーザの操作に応じて近距離無線インターフェース２５を介してノートパソコン２に曲名リストファイル１００の送信要求を送信する。そしてＣＰＵ２０は近距離無線インターフェース２５を介して曲名リストファイル１００を受信し、当該曲名リストファイル１００に基づいて、図６に示すような曲名リスト画面１１０を表示部２１に表示する。この曲名リスト画面１１０には、曲名リストファイル１００の曲名情報１００Ｂ（図３）が５曲分表示されている。
【００５０】
ＣＰＵ２０は、ジョグダイヤル２３が矢印Ａ方向又はその反対方向に回転されると、これに応じて曲名リスト画面１１０の曲名情報１１０Ｂを順次スクロールして表示し、さらにジョグダイヤル２３が矢印Ｂ方向に押下されると、そのときに曲名リスト１１０の中央に表示されている曲名情報１１０Ｂがユーザによって選択されたものとして、当該選択された曲名情報１１０Ｂに対応する音楽ファイルを、ノートパソコン２又は音楽ファイルサーバ６からダウンロードして音楽データメモリ３２に書き込んだ後、所定のタイミングで音楽再生部３３に供給し、当該音楽再生部３３で当該音楽ファイルを復号し、ヘッドホン７を介して出力する。
【００５１】
すなわちディジタル携帯電話機３のＣＰＵ２０は、図７に示すようにルーチンＲＴ２の開始ステップから入ってステップＳＰ２１に移る。ステップＳＰ２１においてＣＰＵ２０は、近距離無線インターフェース２５に対して問い合わせを行い、当該近距離無線インターフェース２５の通信範囲内にノートパソコン２が存在するか否かを判断する。
【００５２】
ステップＳＰ２１において否定結果が得られた場合、このことは近距離無線インターフェース２５の通信範囲内にノートパソコン２が存在しないことを表しており、このときＣＰＵ２０はステップＳＰ２１に戻る。
【００５３】
これに対してステップＳＰ２１において肯定結果が得られた場合、このことは近距離無線インターフェース２５の通信範囲内にノートパソコン２が存在することを表しており、ＣＰＵ２０は次のステップＳＰ２２に移る。
【００５４】
ステップＳＰ２２においてＣＰＵ２０は、ユーザの操作に応じて近距離無線インターフェース２５を介してノートパソコン２に曲名リストファイル１００の送信要求を送信し、次のステップＳＰ２３に移る。
【００５５】
ステップＳＰ２３においてＣＰＵ２０は、近距離無線インターフェース２５を介してノートパソコン２から曲名リストファイル１００を受信し、当該曲名リストファイル１００に基づいて曲名リスト画面１１０を表示部２１に表示し、次のステップＳＰ２４に移る。
【００５６】
ステップＳＰ２４においてＣＰＵ２０は、ユーザによってジョグダイヤル２３が押下され、ダウンロードすべき音楽ファイルが選択されたか否かを判断する。
【００５７】
ステップＳＰ２４において否定結果が得られた場合、このことはジョグダイヤル２３が押下されず、ダウンロードすべき音楽ファイルが選択されていないことを表しており、ＣＰＵ２０はステップＳＰ２９に移り処理を終了する。
【００５８】
これに対してステップＳＰ２４において肯定結果が得られた場合、このことはジョグダイヤル２３が押下され、ダウンロードすべき音楽ファイルが選択されたことを表しており、このときＣＰＵ２０は次のステップＳＰ２５に移る。
【００５９】
ステップＳＰ２５においてＣＰＵ２０は、選択された音楽ファイルのファイル格納場所情報１００Ｆ（図３）に基づいて、当該選択された音楽ファイルがノートパソコン２に格納されているか否かを判断する。
【００６０】
ステップＳＰ２５において肯定結果が得られた場合、このことは選択された音楽ファイルがノートパソコン２に格納されていることを表しており、このときＣＰＵ２０は次のステップＳＰ２６に移り、近距離無線インターフェース２５を介してノートパソコン２から選択された音楽ファイルをダウンロードし、次のステップＳＰ２８に移る。
【００６１】
これに対してステップＳＰ２５において否定結果が得られた場合、このことは選択された音楽ファイルがノートパソコン２ではなく音楽ファイルサーバ６に格納されていることを表しており、このときＣＰＵ２０は次のステップＳＰ２７に移り、選択された音楽ファイルを音楽ファイルサーバ６からインターネット５を介して音楽データメモリ３２にダウンロードし、次のステップＳＰ２８に移る。
【００６２】
ステップＳＰ２８においてＣＰＵ２０は、ダウンロードした音楽ファイルを音楽データメモリ３２から読み出して音楽再生部３３で復号し、ヘッドホン７を介して出力する。
【００６３】
（４）実施の形態の動作及び効果
以上の構成において、ディジタル携帯電話機３は、ノートパソコン２及び音楽ファイルサーバ６に格納されている音楽ファイルについての曲名リストファイル１００をノートパソコン２からダウンロードし、当該曲名リストファイル１００に基づいて、曲名リスト画面１１０を表示部２１に表示する。
【００６４】
そしてディジタル携帯電話機３は、曲名リスト画面１１０の中からユーザによって選択された音楽ファイルを、曲名リストファイル１００の音楽ファイル格納場所情報１００Ｆに基づいてノートパソコン２又は音楽ファイルサーバ６からダウンロードし、音楽再生部３３で復号してヘッドホン７を介して再生する。
【００６５】
このときディジタル携帯電話機３は、曲名リスト画面１１０の中からユーザによって選択された音楽ファイルを、１曲ずつ随時ノートパソコン２又は音楽ファイルサーバ６からダウンロードして再生することにより、ノートパソコン２又は音楽ファイルサーバ６に格納された音楽データを、あたかもディジタル携帯電話機３内にある音楽データであるかのように再生することができ、これによりディジタル携帯電話機３の音楽データメモリ３２の記憶容量に係らず、大量の音楽ファイルを再生することができる。
【００６６】
以上の構成によれば、ノートパソコン２及びディジタル携帯電話機３にそれぞれ近距離無線インターフェース１６及び２５を設け、ディジタル携帯電話機３の表示部２１に表示された曲名リスト画面１２０に基づいて、当該近距離無線インターフェース１６及び２５を介してノートパソコン２からディジタル携帯電話機３に所望の音楽ファイルをダウンロードして再生するようにしたことにより、ディジタル携帯電話機３の音楽データメモリ３２の記憶容量に制限されずに、多くの曲数の音楽ファイルを選択して再生することができる。
【００６７】
また、ノートパソコン２に格納された音楽ファイルの情報に加えて音楽ファイルサーバ６に格納された音楽ファイルの情報を曲名リストファイル１００に記録し、ノートパソコン２及び音楽ファイルサーバ６の双方からディジタル携帯電話機３に音楽ファイルをダウンロードし得るようにしたことにより、ユーザは音楽ファイルの格納場所を意識することなく、所望の音楽ファイルがノートパソコン２に格納されていない場合は当該所望の音楽ファイルを音楽ファイルサーバ６からダウンロードして再生することができる。
【００６８】
（５）他の実施の形態
なお上述の実施の形態においては、ディジタル携帯電話機３とノートパソコン２との通信手段として Bluetoothを用いたが、本発明はこれに限らず、例えばＩＥＥＥ（Institute of Electrical and Electronics Engineers ）８０２．１１で規定されたＨｏｍｅＲＦ（Home Radio frequency）等の近距離無線通信や、或いはＩｒＤＡ（Infrared Data Association ）規格の赤外線通信等、様々な通信手段を介してディジタル携帯電話機３とノートパソコン２とを接続するようにしても良い。
【００６９】
また上述の実施の形態においては、音楽データをディジタル携帯電話機３でダウンロードして再生するようにしたが、本発明はこれに限らず、例えば携帯電話機としての機能部を有さず、近距離無線インターフェース、音楽データメモリ、音楽再生部、表示部及び操作キー部のみを有する音楽再生専用装置を用いて、音楽データをダウンロードして再生するようにしてもよい。
【００７０】
また上述の実施の形態においては、ダウンロードした音楽ファイルを一旦音楽データメモリ３２に格納し、当該音楽ファイルを音楽データメモリ３２から読み出して再生するようにしたが、本発明はこれに限らず、例えば音楽ファイルをダウンロードしながら再生する、いわゆるストリーミング再生を行うようにしても良い。
【００７１】
また上述の実施の形態においては、音楽ファイルを一曲ずつ指定してダウンロードするようにしたが、本発明はこれに限らず、例えば音楽データメモリ３２の記憶容量に応じて複数の音楽ファイルを一度に指定し、当該指定された複数の音楽ファイルを順次ダウンロードして再生するようにしても良い。
【００７２】
さらに上述の実施の形態においては、音楽データをディジタル携帯電話機３でダウンロードして再生するようにしたが、本発明はこれに限らず、例えば静止画データや動画データ、あるいはプログラム等、様々なデータをディジタル携帯電話機３でダウンロードして処理するようにしても良い。
【００７３】
また上述の実施の形態においては、ディジタル携帯電話機３としてＣＤＭＡ方式のセルラー携帯電話としたが、本発明はこれに限らず、Ｗ−ＣＤＭＡ（Wideband-CDMA ）方式やＴＤＭＡ（Time division Multiple Access ）方式としても良く、さらに次世代携帯電話方式であるＩＭＴ（International Mobile Telecomunication System）−２０００方式としても良い。
【００７４】
さらに上述の実施の形態においては、ディジタル携帯電話機３のＣＰＵ２０がＲＯＭに予め格納された音楽再生プログラムに従って、音楽データをダウンロードして再生するようにしたが、本発明はこれに限らず、様々なプログラム格納媒体に音楽再生プログラムを格納しておき、当該プログラム格納媒体を用いて音楽再生プログラムをディジタル携帯電話機３にインストールすることにより音楽データのダウンロード及び再生を行うようにしてもよい。
【００７５】
このように、上述した音楽再生プログラムをディジタル携帯電話機３にインストールし、当該ディジタル携帯電話機３によって実行可能な状態とするためのプログラム格納媒体としては、例えばフロッピディスク、ＤＶＤ−ＲＯＭ（Digital Video Disk-Read Only Memory ）等のパッケージメディアのみならず、プログラムが一時的もしくは永続的に格納される半導体メモリや磁気ディスク等で実現しても良い。また、これらプログラム格納媒体に音楽再生プログラムを格納しる手段としては、ローカルエリアネットワークやインターネット、ディジタル衛星放送等の有線及び無線通信媒体を用いても良く、ルータやモデム等の各種インターフェースを介在して格納するようにしても良い。
【図面の簡単な説明】
【００７６】
【図１】本発明による情報処理システムの全体構成を示す略線図である。
【図２】ノートブック型パーソナルコンピュータの回路構成を示すブロック図である。
【図３】曲名リストファイルのデータ構成を示す略線図である。
【図４】ノートパソコンのファイル送信処理手順を示すフローチャートである。
【図５】ディジタル携帯電話機の回路構成を示すブロック図である
【図６】曲名リスト画面を示す略線図である。
【図７】音楽ファイル再生処理手順を示すフローチャートである。
【符号の説明】
【００７７】
１……情報処理システム、２……ノートブック型パーソナルコンピュータ、３……ディジタル携帯電話、４……基地局、６……音楽ファイルサーバ、１０……ＣＰＵ、１１……ＲＡＭ、１２……表示部、１３……キーボード、１４……ＨＤＤ、１５……電源制御部、１６……近距離無線インターフェース、１８、３０、３１……アンテナ、２０……ＣＰＵ、２１……表示部、２２……操作キー、２４……信号処理部、２５……近距離無線インターフェース、２６……マイクロホン、２７……スピーカ、２８……送信部、２９……受信部、３２……音楽データメモリ、３３……音楽再生部。
【図１】
0004565360.tif 000002
【図２】
0004565360.tif 000003
【図３】
0004565360.tif 000004
【図４】
0004565360.tif 000005
【図５】
0004565360.tif 000006
【図６】
0004565360.tif 000007
【図７】
0004565360.tif 000008